(57)【要約】本発明は、立体映像ディスプレイ装置および立体映像ディスプレイシステムに係り、さらに具体的には、ディスプレイに含まれる偏光フィルムとパネルを分離せずに製作することにより色感および視野角の低下がない立体映像ディスプレイ装置、および前記立体映像ディスプレイ装置を用いて、使用者が偏光眼鏡を着用しても立体映像および平面映像を両眼で同時に観察することが可能な立体映像ディスプレイシステムに関する。【選択図】図３
2012501483.tif 000002
【特許請求の範囲】
【請求項１】
一定の角度の第１初期偏光を持つ左眼映像を出力する左眼映像ディスプレイと、
前面が前記左眼映像ディスプレイの前面と一定の角度を成して設置され、一定の角度の第２初期偏光を持つ右眼映像を出力する右眼映像ディスプレイと、
前記ディスプレイ同士の間に設けられ、前記映像のうちいずれか一つの映像は透過させ、もう一つのイ映像は反射して前記映像を同一の面へ出力するハーフミラーと、
前記ディスプレイのうちいずれか一つのディスプレイの前面に貼られ、そのディスプレイから出力される映像の初期偏光を一定の角度で回転させて補正偏光を持たせるが、前記ハーフミラーによって出力される映像の偏光が互いに９０度を成すように補正偏光を持たせる偏光補正手段とを含んでなることを特徴とする、立体映像ディスプレイ装置。
【請求項２】
前記初期偏光の角度はそれぞれ０度および０度、または９０度および９０度であり、
前記偏光補正手段は前記初期偏光のうちいずれか一つの初期偏光の角度を＋９０度または−９０度だけ回転させることを特徴とする、請求項１に記載の立体影像ディスプレイ装置。
【請求項３】
前記偏光補正手段は位相差フィルムであることを特徴とする、請求項２に記載の立体影像ディスプレイ装置。
【請求項４】
前記位相差フィルムは、λ／２フィルムであり、前記λ／２フィルムの光軸を＋４５度または−４５度回転させて貼ることを特徴とする、請求項３に記載の立体影像ディスプレイ装置。
【請求項５】
前記ハーフミラーは偏光ビームスプリッター（ＰＢＳ：Ｐｏｌａｒｉｚｉｎｇ  Ｂｅａｍ  Ｓｐｌｉｔｔｅｒ）であることを特徴とする、請求項１〜４のいずれか１項に記載の立体影像ディスプレイ装置。
【請求項６】
前記偏光ビームスプリッターは線格子偏光子（ＷＧＰ：Ｗｉｒｅ  Ｇｒｉｄ  Ｐｏｌａｒｉｚｅｒ）であることを特徴とする、請求項５に記載の立体影像ディスプレイ装置。
【請求項７】
一定の角度の第１初期偏光を持つ左眼映像を出力する左眼映像ディスプレイと、
前面が前記左眼映像ディスプレイの前面と一定の角度を成して設置され、一定の角度の第２初期偏光を持つ右眼映像を出力する右眼映像ディスプレイと、
前記ディスプレイ同士の間に設けられ、前記映像のうちいずれか一つの映像は透過させ、もう一つの映像は反射して前記映像を同一の面へ出力するハーフミラーと、
前記左眼映像ディスプレイの前面に設けられ、前記第１初期偏光の角度を一定の角度で回転させて第１補正偏光を持たせる第１偏光補正手段と、
前記右眼映像ディスプレイの前面に設けられ、前記第２初期偏光の角度を一定の角度で回転させて第２補正偏光を持たせる第２偏光補正手段とを含んでなり、
前記偏光補正手段は、前記ハーフミラーによって出力される映像の偏光が互いに９０度を成すように、前記初期偏光をそれぞれ回転させることを特徴とする、立体映像ディスプレイ装置。
【請求項８】
前記初期偏光の角度はそれぞれ０度および０度、または９０度および９０度であり、
前記偏光補正手段は前記初期偏光の角度をそれぞれ＋４５度または−４５度だけ回転させることを特徴とする、請求項７に記載の立体影像ディスプレイ装置。
【請求項９】
前記偏光補正手段はそれぞれ第１位相差フィルムおよび第２位相差フィルムであることを特徴とする、請求項８に記載の立体影像ディスプレイ装置。
【請求項１０】
前記位相差フィルムは、それぞれ第１λ／２フィルムおよび第２λ／２フィルムであり、前記第１λ／２フィルムおよび第２λ／２フィルムの光軸を＋２２．５または−２２．５度回転させて貼ることを特徴とする、請求項９に記載の立体影像ディスプレイ装置。
【請求項１１】
前記初期偏光の角度はそれぞれ４５度および４５度であり、
前記偏光補正手段は前記初期偏光をそれぞれ＋４５度および−４５度、または−４５および＋４５度だけ回転させることを特徴とする、請求項７に記載の立体映像ディスプレイ装置。
【請求項１２】
前記偏光補正手段はそれぞれ第１位相差フィルムおよび第２位相差フィルムであることを特徴とする、請求項１１に記載の立体影像ディスプレイ装置。
【請求項１３】
前記位相差フィルムは、それぞれ第１λ／２フィルムおよび第２λ／２フィルムであり、前記第１λ／２フィルムおよび第２λ／２フィルムの光軸をそれぞれ＋２２．５度および−２２．５度、または−２２．５度および＋２２．５度回転させて貼ることを特徴とする、請求項１２に記載の立体影像ディスプレイ装置。
【請求項１４】
前記ハーフミラーは偏光ビームスプリッター（ＰＢＳ：Ｐｏｌａｒｉｚｉｎｇ  Ｂｅａｍ  Ｓｐｌｉｔｔｅｒ）であることを特徴とする、請求項１１〜１３のいずれか１項に記載の立体影像ディスプレイ装置。
【請求項１５】
前記偏光ビームスプリッターは線格子偏光子（ＷＧＰ：Ｗｉｒｅ  Ｇｒｉｄ  Ｐｏｌａｒｉｚｅｒ）であることを特徴とする、請求項１４に記載の立体影像ディスプレイ装置。
【請求項１６】
一定の角度の第１初期偏光を持つ左眼映像を出力する左眼映像ディスプレイと、
前面が前記左眼映像ディスプレイの前面と一定の角度を成して設置され、一定の角度の第２初期偏光を持つ右眼映像を出力する右眼映像ディスプレイと、
前記ディスプレイ同士の間に設けられ、前記映像のうちいずれか一つの映像は透過させ、もう一つの映像は反射して前記映像を同一の面へ出力するハーフミラーと、
前記左眼映像ディスプレイの前面に設けられ、前記第１初期偏光を一定の方向に回転させて第１補正円偏光を持たせる第１円偏光補正手段と、
前記右眼映像ディスプレイの前面に設けられ、前記第２初期偏光を一定の方向に回転させて第２補正円偏光を持たせる第２円偏光補正手段とを含んでなり、
前記偏光補正手段は、前記ハーフミラーによって出力される映像の偏光が互いに反対方向に回転するように、前記初期偏光をそれぞれ回転させることを特徴とする、立体映像ディスプレイ装置。
【請求項１７】
前記初期偏光の角度はそれぞれ０度および０度、９０度および９０度、または４５度および４５度であり、
前記円偏光補正手段は前記初期偏光を同一の方向に回転させることを特徴とする、請求項１６に記載の立体影像ディスプレイ装置。
【請求項１８】
前記円偏光補正手段はそれぞれ第１位相差フィルムおよび第２位相差フィルムであることを特徴とする、請求項１７に記載の立体影像ディスプレイ装置。
【請求項１９】
前記位相差フィルムは、それぞれ第１λ／４フィルムおよび第２λ／４フィルムであり、前記λ／４フィルムの光軸をそれぞれ前記初期偏光の角度と一致させて貼ることを特徴とする、請求項１８に記載の立体影像ディスプレイ装置。
【請求項２０】
それぞれ一定の角度の初期偏光を持つ左眼映像および右眼映像を前面に同時に出力するが、前記初期偏光が互いに９０度を成すように前記映像を出力する立体映像ディスプレイ装置と、
前記それぞれ映像の初期偏光を任意の角度で同一の方向に回転させ、前記各映像が一定の角度の補正偏光を持つようにする立体偏光補正手段と、
前記映像の補正偏光の角度とそれぞれ同一の偏光角を持つ左眼偏光フィルターおよび右眼偏光フィルターからなる偏光眼鏡とを含んでなることを特徴とする、立体映像ディスプレイシステム。
【請求項２１】
前記初期偏光のうちいずれか一つの初期偏光と同じ角度の偏光を持つ平面映像を出力する平面映像ディスプレイ装置をさらに含み、
前記左眼映像は前記左眼偏光フィルターに透過し、前記右眼映像は前記右眼偏光フィルターに透過し、前記平面映像は前記左眼偏光フィルターおよび前記右眼偏光フィルターに同時に透過することを特徴とする、請求項２０に記載の立体影像ディスプレイシステム。
【請求項２２】
前記初期偏光の角度はそれぞれ４５度および１３５度、または０度および９０度であることを特徴とする、請求項２１に記載の立体影像ディスプレイシステム。
【請求項２３】
前記補正偏光の角度はそれぞれ前記初期偏光の角度から４５度、１３５度、２２５度または３１５度回転させた角度であることを特徴とする、請求項２０〜２２のいずれか１項に記載の立体影像ディスプレイシステム。
【請求項２４】
前記立体偏光補正手段は前記立体映像ディスプレイ装置の前面に貼られる位相差フィルムであることを特徴とする、請求項２３に記載の立体影像ディスプレイシステム。
【請求項２５】
前記位相差フィルムは、λ／２フィルムであり、前記λ／２フィルムの光軸を２２．５度、６７．５度、１１２．５度または１５７．５回転させて前記立体映像ディスプレイ装置の前面に貼ることを特徴とする、請求項２４に記載の立体影像ディスプレイシステム。
【請求項２６】
それぞれ一定の角度の偏光を持つ左眼映像および右眼映像を前面に同時に出力するが、前記偏光が互いに９０度を成すように前記映像を出力する立体映像ディスプレイ装置と、
前記偏光のうちいずれか一つの偏光と同じ角度の初期偏光を持つ平面映像を出力する平面映像ディスプレイ装置と、
前記平面映像の初期偏光を任意の角度で回転させ、前記平面映像が一定の角度の補正偏光を持つようにする平面偏光補正手段と、
前記左眼映像および右眼映像の偏光とそれぞれ同一の偏光角を持つ左眼偏光フィルターおよび右眼偏光フィルターからなる偏光眼鏡とを含んでなることを特徴とする、立体映像ディスプレイシステム。
【請求項２７】
前記左眼映像および右眼映像の偏光はそれぞれ４５度および１３５度であり、前記平面映像の初期偏光は４５度または１３５度であることを特徴とする、請求項２６に記載の立体映像ディスプレイシステム。
【請求項２８】
前記左眼映像および右眼映像の偏光はそれぞれ０度および９０度であり、前記平面映像の初期偏光は０度または９０度であることを特徴とする、請求項２６に記載の立体映像ディスプレイシステム。
【請求項２９】
前記補正偏光の角度は前記初期偏光の角度から４５度、１３５度、２２５度または３１５度回転させた角度であることを特徴とする、請求項２６〜２８のいずれか１項に記載の立体映像ディスプレイシステム。
【請求項３０】
前記平面偏光補正手段は前記平面映像ディスプレイ装置の前面に貼られる位相差フィルムであることを特徴とする、請求項２９に記載の立体影像ディスプレイシステム。
【請求項３１】
前記位相差フィルムは、λ／２フィルムであり、前記λ／２フィルムの光軸を２２．５度、６７．５度、１１２．５度または１５７．５度回転させて前記平面映像ディスプレイ装置の前面に貼ることを特徴とする、請求項３０に記載の立体影像ディスプレイシステム。
【請求項３２】
それぞれ一定の角度の偏光を持つ左眼映像および右眼映像を前面に同時に出力するが、前記偏光が互いに９０度を成すように前記映像を出力する立体映像ディスプレイ装置と、
前記偏光のうちいずれか一つの偏光と同じ角度の初期偏光を持つ平面映像を出力する平面映像ディスプレイ装置と、
前記平面映像の初期偏光を拡散させ、前記平面映像がランダム偏光を持つようにするランダム偏光補正手段と、
前記左眼映像および右眼映像の偏光とそれぞれ同一の偏光角を持つ左眼偏光フィルターおよび右眼偏光フィルターからなる偏光眼鏡とを含んでなることを特徴とする、立体映像ディスプレイシステム。
【請求項３３】
前記ランダム偏光補正手段は拡散フィルムまたはすりガラスを含むランダム化フィルムであることを特徴とする、請求項３１に記載の立体影像ディスプレイシステム。
【発明の詳細な説明】
【技術分野】
【０００１】
本発明は、立体映像ディスプレイ装置および立体映像ディスプレイシステムに係り、さらに具体的には、ディスプレイに含まれる偏光フィルムとパネルを分離せずに製作することにより色感および視野角の低下がない立体映像ディスプレイ装置、および前記立体映像ディスプレイ装置を用いて、使用者が偏光眼鏡を着用しても立体映像および平面映像を両眼で同時に観察することのできる立体映像ディスプレイシステムに関する。
【背景技術】
【０００２】
偏光方式の立体映像ディスプレイ装置は、互いに異なる偏光を持つ左眼映像および右眼映像に対して、偏光眼鏡を用いて、前記左眼映像は観察者の左眼だけで見、前記右眼映像は観察者の右眼だけで見るようにすることにより、観察者が立体映像を観察するようにするディスプレイ装置である。
図１は従来の立体映像ディスプレイ装置を示す図、図２は従来の立体映像ディスプレイ装置を製作する方法を説明するための図である。
これらの図を参照すると、従来の立体映像ディスプレイ装置１０は、左眼映像ディスプレイ１１、右眼映像ディスプレイ１２およびハーフミラー１３を含んでなる。
また、前記左眼映像ディスプレイ１１と前記右眼映像ディスプレイ１２は、それぞれの下部の端を基準として互いに９０度の角度で設置され、それぞれ左眼映像１１ｃと右眼映像１２ｃを出力する。
また、前記ディスプレイ１１、１２は、それぞれ前記映像１１ｃ、１２ｃを生成するパネル１１ａ、１２ａと、前記映像１１ｃ、１２ｃが一定の偏光１１ｄ、１２ｄを持つようにする偏光フィルム１１ｂ、１２ｂとを含んでなる。
すなわち、前記映像１１ｃ、１２ｃはそれぞれ一定の偏光１１ｄ、１２ｄをもって出力される。
また、前記ハーフミラー１３は、前記ディスプレイ１１、１２に対してそれぞれ４５度の角度で前記ディスプレイ１１、１２同士の間に設置される。前記ハーフミラー１３は、前記左眼映像１１ｃは反射し、右眼映像１２ｃは透過させることにより、最終的に前記映像１１ｃ、１２ｃを前面に同時に出力する。
また、前記ハーフミラー１３を経て最終的に出力される映像１１ｃ、１２ｃの偏光１１ｄ、１２ｄは、互いに９０度を成して出力される。
したがって、観察者は、互いに９０度の偏光角の差を有する偏光フィルター１４ａ、１４ｂからなる偏光眼鏡を着用し、前記左眼映像１１ｃは左眼だけで見、前記右眼映像１２ｃは右眼だけで見ることにより、立体感を感じることができる。
一方、前記映像１１ｃ、１２ｃが有する偏光１１ｄ、１２ｄは前記ディスプレイ１１、１２の種類によって異なる。現在、前記ディスプレイ１１、１２は、０度、９０度または４５度の偏光を持つ映像を出力するように製作されている。
また、前記ディスプレイ１１、１２の種類は、国家別、製造会社別または技術別に互いに異なる基準に基づいて製作されている。
一方、前記ハーフミラー１３は、一面に透過する偏光はそのまま透過させ、他面に反射する偏光は反転して出力する特性がある。
言い換えれば、前記ハーフミラー１３に対して４５度の偏光を反射する場合、前記４５度の偏光は１３５度の偏光に反転する特性がある。
ところが、０度または９０度の偏光の場合、前記ハーフミラー１３によって反射して反転しても、実質的にそのまま０度または９０度を維持する。
このような原理によれば、仮想の垂直線または水平線を基準として０度、９０度または４５度の偏光を線対称にしたときのそれぞれの対称偏光は０度、９０度または１３５度に反転する形態のものと理解できる。
すなわち、０度の偏光を持つ映像を出力する２つのディスプレイ１１、１２’を用いて立体映像ディスプレイ装置を製作する場合、前記ハーフミラー１３に対して反射または透過する映像１１ｃ、１２ｃの偏光が互いに０度と同一なので、使用者が着用する偏光眼鏡のいずれか一つの偏光フィルターには映像が透過しないので、使用者は立体感を感じることができない。
したがって、それぞれ０度の偏光または９０度の偏光を持つディスプレイを用いて立体映像ディスプレイ装置を製作する場合、いずれか一つの映像の偏光を９０度回転させて出力しなければならないという問題点がある。
従来では、前記いずれか一つの映像１２ｃの偏光１２ｄ’を９０度回転させるためには、前記ディスプレイ１１、１２のうちいずれか一つのディスプレイ１２’のパネル１２ａと偏光フィルム１２ｂ’を互いに分離し、前記偏光フィルム１２ｂ’を９０度回転させた後、さらに前記パネル１２ａに貼る方法を使用した。
ところが、このような従来の方法は、ディスプレイの色感または視野角を低下させる問題点を抱えており、前記偏光フィルム１２ｂ’を分離してさらに貼るのには多くの技術的、時間的問題点がある。
一方、４５度の偏光を持つ映像を出力する２つのディスプレイ（図示せず）を用いて立体映像ディスプレイ装置を製作する場合、いずれか一つのディスプレイから出力される映像の偏光は前記ハーフミラー１３によって反転して１３５度の偏光を持つので、前記偏光フィルム１２’を分離してさらに貼る過程が不要である。
ところが、前記４５度の偏光と１３５度の偏光を同時に出力する立体映像ディスプレイ装置は、他の４５度の偏光を持つ平面映像を出力する平面映像ディスプレイと同一の場所に設置される場合、互いに４５度および１３５度の偏光角を持つ偏光フィルターからなる偏光眼鏡を着用すると、前記立体映像ディスプレイから出力される立体映像は観察することができるが、前記平面映像ディスプレイから出力される平面映像は前記偏光眼鏡のいずれか一つの偏光フィルターのみを通過するので、使用者はいずれか片方の目だけで前記平面映像を観察することができるという問題点がある。
図７および図８は従来の立体映像ディスプレイシステムを示す図である。
これらの図を参照すると、従来の立体映像ディスプレイシステムは、立体映像ディスプレイ装置１０、１０ａおよび平面映像ディスプレイ装置３０、３０ａを含んでなる。
前記立体映像ディスプレイ装置１０、１０ａは、図１および図２を参照して説明した立体映像ディスプレイ装置と実質的に同様なので、その説明を省略し、同一の符号を参照する。
前記平面映像ディスプレイ装置３０、３０ａは、平面映像を出力するが、前記立体映像ディスプレイ装置１０、１０ａから出力される左眼映像１１ｃまたは右眼映像１２ｃの偏光と同じ角度の偏光を持つ平面映像を出力する。
言い換えれば、前記立体映像ディスプレイ装置１０、１０ａとして、それぞれ０度および９０度の偏光１１ｄ、１２ｄを持つ左眼映像および右眼映像を出力する立体映像ディスプレイ装置１０を備える場合、前記平面映像ディスプレイ装置３０、３０ａとしては、０度または９０度の偏光３１を持つ平面映像を出力する平面映像ディスプレイ装置３０を備える。
また、前記立体映像ディスプレイ装置１０、１０ａとして、それぞれ４５度および１３５度の偏光１１ｄｄ、１２ｄｄを持つ左眼映像および右眼映像を出力する立体映像ディスプレイ装置１０ａを備える場合、前記平面映像ディスプレイ装置３０としては、４５度または１３５度の偏光３１ａを持つ平面映像を出力する平面映像ディスプレイ装置３０ａを備える。
その理由は、前述したように、国家別、製造会社別または技術別に互いに異なる基準に基づいてディスプレイが製作されているためである。
【０００３】
すなわち、前記立体映像ディスプレイ装置１０、１０ａから出力される映像を、使用者が偏光眼鏡１４、１４ａを着用した状態で観察しながら、前記平面映像ディスプレイ装置３０、３０ａから出力される平面映像を見る場合、前記偏光眼鏡１４、１４ａのいずれか一つの偏光フィルター１４ｂ、１４ｂｂには平面映像が通過することができないという問題点が発生する。
【発明の概要】
【発明が解決しようとする課題】
【０００４】
本発明者は、色感および視野角の低下がない立体映像ディスプレイ装置、および偏光眼鏡を着用しても両眼で同時に立体映像および平面映像を観察することが可能な立体映像ディスプレイシステムを開発しようと研究努力した結果、ディスプレイに含まれる偏光フィルムとパネルを分離せずに製作することにより色感および視野角の低下がなく、偏光フィルムを用いて、偏光眼鏡を着用しても立体映像および平面映像を両眼で同時に観察することのできる技術的構成を開発し、本発明を完成するに至った。
そこで、本発明の目的は、ディスプレイに含まれる偏光フィルムとパネルを分離せずに製作することにより色感および視野角の低下がない立体映像ディスプレイ装置を提供することにある。
本発明の他の目的は、立体映像ディスプレイ装置と平面映像ディスプレイ装置が共存する立体映像ディスプレイシステムにおいて、前記立体映像ディスプレイ装置または平面映像ディスプレイ装置から出力される映像の偏光を補正することにより、偏光眼鏡を着用した状態でも立体映像を観察することができると同時に両眼で平面映像を観察することができる、立体映像ディスプレイシステムを提供することにある。
【課題を解決するための手段】
【０００５】
上記目的を達成するために、本発明の第１実施例によれば、一定の角度の第１初期偏光を持つ左眼映像を出力する左眼映像ディスプレイと、前面が前記左眼映像ディスプレイの前面と一定の角度を成して設置され、一定の角度の第２初期偏光を持つ右眼映像を出力する右眼映像ディスプレイと、前記ディスプレイ同士の間に設けられ、前記映像のうちいずれか一つの映像は透過させ、もう一つの映像は反射して前記映像を同一の面へ出力するハーフミラーと、前記ディスプレイのうちいずれか一つのディスプレイの前面に貼られ、そのディスプレイから出力される映像の初期偏光の角度を一定の角度で回転させて補正偏光を持たせるが、前記ハーフミラーによって出力される映像の偏光が互いに９０度を成すように補正偏光を持たせる偏光補正手段とを含んでなる、立体映像ディスプレイ装置を提供する。
好ましい実施例において、前記初期偏光の角度はそれぞれ０度および０度、または９０度および９０度であり、前記偏光補正手段は前記初期偏光のうちいずれか一つの初期偏光を＋９０度または−９０度だけ回転させて前記初期偏光のうちいずれか一つの初期偏光の角度を補正する。
好ましい実施例において、前記偏光補正手段は位相差フィルムである。
好ましい実施例において、前記位相差フィルムは、λ／２フィルムであり、前記λ／２フィルムの光軸を＋４５度または−４５度回転させて貼る。
また、本発明の第２実施例によれば、一定の角度の第１初期偏光を持つ左眼映像を出力する左眼映像ディスプレイと、前面が前記左眼映像ディスプレイの前面と一定の角度を成して設置され、一定の角度の第２初期偏光を持つ右眼映像を出力する右眼映像ディスプレイと、前記ディスプレイ同士の間に設けられ、前記映像のうちいずれか一つの映像は透過させ、もう一つの映像は反射して前記映像を同一の面へ出力するハーフミラーと、前記左眼映像ディスプレイの前面に設けられ、前記第１初期偏光を一定の角度で回転させて第１補正偏光を持たせる第１偏光補正手段と、前記右眼映像ディスプレイの前面に設けられ、前記第２初期偏光を一定の角度で回転させて第２補正偏光を持たせる第２偏光補正手段とを含んでなり、前記偏光補正手段は前記ハーフミラーによって出力される映像の偏光が互いに９０度を成すように前記初期偏光をそれぞれ回転させる、立体映像ディスプレイ装置を提供する。
好ましい実施例において、前記初期偏光の角度はそれぞれ０度および０度、または９０度および９０度であり、前記偏光補正手段は前記初期偏光の角度をそれぞれ＋４５度または−４５度だけ回転させる。
好ましい実施例において、前記偏光補正手段はそれぞれ第１位相差フィルムおよび第２位相差フィルムである。
好ましい実施例において、前記位相差フィルムは、それぞれ第１λ／２フィルムおよび第２λ／２フィルムであり、前記第１λ／２フィルムおよび第２λ／２フィルムの光軸を＋２２．５または−２２．５度回転させて貼る。
また、本発明の第３実施例によれば、前記第２実施例による立体映像ディスプレイ装置と比較して、前記ディスプレイ装置から出力される初期偏光の角度はそれぞれ４５度および４５度であり、前記偏光補正手段は前記初期偏光をそれぞれ＋４５度および−４５度、または−４５および＋４５度だけ回転させる、立体映像ディスプレイ装置を提供する。
好ましい実施例において、前記偏光補正手段はそれぞれ第１位相差フィルムおよび第２位相差フィルムである。
好ましい実施例において、前記位相差フィルムは、それぞれ第１λ／２フィルムおよび第２λ／２フィルムであり、前記第１λ／２フィルムおよび第２λ／２フィルムの光軸をそれぞれ＋２２．５度および−２２．５度、または−２２．５度および＋２２．５度回転させて貼る。
また、本発明の第４実施例によれば、一定の角度の第１初期偏光を持つ左眼映像を出力する左眼映像ディスプレイと、前面が前記左眼映像ディスプレイの前面と一定の角度を成して設置され、一定の角度の第２初期偏光を持つ右眼映像を出力する右眼映像ディスプレイと、前記ディスプレイ同士の間に設けられ、前記映像のうちいずれか一つの映像は透過させ、もう一つの映像は反射して前記映像を同一の面へ出力するハーフミラーと、前記左眼映像ディスプレイの前面に設けられ、前記第１初期偏光を一定の方向に回転させて第１補正円偏光を持たせる第１円偏光補正手段と、前記右眼映像ディスプレイの前面に設けられ、前記第２初期偏光を一定の方向に回転させて第２補正円偏光を持たせる第２円偏光補正手段とを含んでなり、前記偏光補正手段は前記ハーフミラーによって出力される映像の偏光が互いに反対方向に回転するように前記初期偏光をそれぞれ回転させる、立体映像ディスプレイ装置を提供する。
好ましい実施例において、前記初期偏光の角度はそれぞれ０度および０度、９０度および９０度、または４５度および４５度であり、前記円偏光補正手段は前記初期偏光を同一の方向に回転させる。
好ましい実施例において、前記円偏光補正手段はそれぞれ第１位相差フィルムおよび第２位相差フィルムである。
好ましい実施例において、前記位相差フィルムは、それぞれ第１λ／４フィルムおよび第２λ／４フィルムであり、前記λ／４フィルムの光軸をそれぞれ前記初期偏光の角度と一致させて貼る。
また、本発明の第５実施例によれば、それぞれ一定の角度の初期偏光を持つ左眼映像および右眼映像を前面に同時に出力するが、前記初期偏光が互いに９０度を成すように前記映像を出力する立体映像ディスプレイ装置と、前記各映像の初期偏光を任意の角度で同一の方向に回転させて前記各映像が一定の角度の補正偏光を持つようにする立体偏光補正手段と、前記映像の補正偏光の角度とそれぞれ同一の偏光角を持つ左眼偏光フィルターおよび右眼偏光フィルターからなる偏光眼鏡とを含んでなる、立体映像ディスプレイシステムを提供する。
好ましい実施例において、前記初期偏光のうちいずれか一つの初期偏光と同じ角度の偏光を持つ平面映像を出力する平面映像ディスプレイ装置をさらに含み、前記左眼映像は前記左眼偏光フィルターに透過し、前記右眼映像は前記右眼偏光フィルターに透過し、前記平面映像は前記左眼偏光フィルターおよび前記右眼偏光フィルターに同時に透過する。
好ましい実施例において、前記初期偏光の角度はそれぞれ４５度および１３５度である。
好ましい実施例において、前記補正偏光の角度は、それぞれ前記初期偏光の角度から４５度、１３５度、２２５度または３１５度回転した角度である。
好ましい実施例において、前記立体偏光補正手段は、前記立体映像ディスプレイ装置の前面に貼られる位相差フィルムである。
好ましい実施例において、前記位相差フィルムは、λ／２フィルムであり、前記λ／２フィルムの光軸を２２．５度、６７．５度、１１２．５度または１５７．５度回転させて前記立体映像ディスプレイ装置の前面に貼る。
また、本発明の第６実施例によれば、前記本発明の第５実施例に係る立体映像ディスプレイシステムと比較して、立体映像ディスプレイ装置がそれぞれ０度および９０度の初期偏光を有し、他の構成要素に対しては実質的に同一である立体映像ディスプレイシステムを提供する。
また、本発明の第７実施例によれば、それぞれ一定の角度の偏光を持つ左眼映像および右眼映像を前面に同時に出力するが、前記偏光が互いに９０度を成すように前記映像を出力する立体映像ディスプレイ装置と、前記偏光のうちいずれか一つの偏光と同じ角度の初期偏光を持つ平面映像を出力する平面映像ディスプレイ装置と、前記平面映像の初期偏光を任意の角度で回転させ、前記平面映像が一定の角度の補正偏光を持つようにする平面偏光補正手段と、前記左眼映像および右眼映像の偏光とそれぞれ同一の偏光角を持つ左眼偏光フィルターおよび右眼偏光フィルターからなる偏光眼鏡とを含んでなる、立体映像ディスプレイシステムを提供する。
好ましい実施例において、前記左眼映像および右眼映像の偏光はそれぞれ４５度および１３５度であり、前記平面映像の初期偏光は４５度または１３５度である。
好ましい実施例において、前記左眼映像および右眼映像の偏光はそれぞれ０度および９０度であり、前記平面映像の初期偏光は０度または９０度であってもよい。
好ましい実施例において、前記補正偏光の角度は、前記初期偏光の角度から４５度、１３５度、２２５度または３１５度回転した角度である。
好ましい実施例において、前記平面偏光補正手段は、前記平面映像ディスプレイ装置の前面に貼られる位相差フィルムである。
好ましい実施例において、前記位相差フィルムは、λ／２フィルムであり、前記λ／２フィルムの光軸を２２．５度、６７．５度、１１２．５度または１５７．５度回転させて前記平面映像ディスプレイ装置の前面に貼る。
また、本発明の第８実施例によれば、それぞれ一定の角度の偏光を持つ左眼映像および右眼映像を前面に同時に出力するが、前記偏光が互いに９０度を成すように前記映像を出力する立体映像ディスプレイ装置と、前記偏光のうちいずれか一つの偏光と同じ角度の初期偏光を持つ平面映像を出力する平面映像ディスプレイ装置と、前記平面映像の初期偏光を拡散させ、前記平面映像がランダム偏光を持つようにするランダム偏光補正手段と、前記左眼映像および右眼映像の偏光とそれぞれ同じ偏光角を持つ左眼偏光フィルターおよび右眼偏光フィルターからなる偏光眼鏡とを含んでなる、立体映像ディスプレイシステムを提供する。
好ましい実施例において、前記ランダム偏光補正手段は、拡散フィルム（Ｄｉｆｆｕｓｉｏｎ  ｆｉｌｍ）またはすりガラスを含むランダム化フィルムである。
【発明の効果】
【０００６】
本発明は、次の優れた効果を有する。
まず、本発明の立体映像ディスプレイ装置によれば、ディスプレイに含まれる偏光フィルムとパネルを分離せず、左眼映像ディスプレイまたは右眼映像ディスプレイの前面に位相差フィルムを貼って製作することにより色感および視野角の低下がない、立体映像ディスプレイ装置を提供することができる。
また、本発明の立体映像ディスプレイ装置によれば、ハーフミラーに対して透過または反射する映像の偏光が０度または９０度の場合、偏光ビームスプリッターを用いて光の効率を非常に向上させることができる。
また、本発明の立体映像ディスプレイシステムによれば、立体映像ディスプレイ装置と平面映像ディスプレイ装置が共存する環境で、前記立体映像ディスプレイ装置または平面映像ディスプレイ装置から出力される映像の偏光を位相差フィルムまたはランダム化フィルムを用いて補正することにより、使用者が偏光眼鏡を着用した状態で立体映像を観察することができるとともに両眼で平面映像を観察することができる、立体映像ディスプレイシステムを提供することができる。
【図面の簡単な説明】
【０００７】
【図１】従来の立体映像ディスプレイ装置を示す図である。
【図２】従来の立体映像ディスプレイ装置を製作する方法を説明するための図である。
【図３】本発明の第１実施例に係る立体映像ディスプレイ装置を示す図である。
【図４】本発明の第２実施例に係る立体映像ディスプレイ装置を示す図である。
【図５】本発明の第３実施例に係る立体映像ディスプレイ装置を示す図である。
【図６】本発明の第４実施例に係る立体映像ディスプレイ装置を示す図である。
【図７】従来の立体映像ディスプレイシステムを示す図である。
【図８】従来の立体映像ディスプレイシステムを示す図である。
【図９】本発明の第５実施例に係る立体映像ディスプレイシステムを示す図である。
【図１０】本発明の第６実施例に係る立体映像ディスプレイシステムを示す図である。
【図１１】本発明の第７実施例に係る立体映像ディスプレイシステムを示す図である。
【図１２】本発明の第８実施例に係る立体映像ディスプレイシステムを示す図である。本発明に係る図面において、実質的に同一の構成および機能を有する構成要素については同一の参照符号を使用する。
【発明を実施するための形態】
【０００８】
本発明で使用される用語は、なるべく現在広く使用される一般な用語を選択したが、特定の場合には出願人が任意に選定した用語もある。この場合は、単純な用語の名称としてではなく、発明の詳細な部分に記載または使用された意味を考慮してその意味を把握すべきであろう。
以下、添付図面に示した好適な実施例を参照して本発明の技術的構成を詳細に説明する。
ところが、本発明は、ここで説明される実施例に限定されず、他の形態にも具体化できる。明細書全体にわたって、同一の参照番号は同一の構成要素を示す。
［第１実施例］
図３は本発明の第１実施例に係る立体映像ディスプレイ装置を示す図である。
図３を参照すると、本発明の第１実施例に係る立体映像ディスプレイ装置１００は、左眼映像ディスプレイ１１０、右眼映像ディスプレイ１２０、ハーフミラー１３０および偏光補正手段１４０を含んでなる。
前記左眼映像ディスプレイ１１０は、一定の角度の第１初期偏光１１０ｂを持つ左眼映像１１０ａを出力する。
また、前記左眼映像ディスプレイ１１０は、出力される映像が偏光を持つＬＣＤディスプレイからなる。ところが、前記左眼映像ディスプレイ１１０は、出力される映像が偏光を持つディスプレイであれば、いずれのディスプレイでもよい。
前記右眼映像ディスプレイ１２０は、前面が前記左眼映像ディスプレイ１１０の前面と一定の角度を成して設置され、一定の角度の第２初期偏光１２０ｂを持つ右眼映像１２０ａを出力する。
さらに詳しくは、前記右眼映像ディスプレイ１２０は、前記左眼映像ディスプレイ１１０に対して９０度の角度で設置される。
ところが、前記ディスプレイ１１０、１２０は、９０度〜１５０度の角度を成して設置でき、設置される角度に応じて、後述するハーフミラー１３０によって最終的に出力される映像１１０ａ、１２０ａの出力方向または出力サイズを決定することができる。
また、前記右眼映像ディスプレイ１２０はＬＣＤディスプレイからなる。ところが、前記右眼映像ディスプレイ１２０は、前記左眼映像ディスプレイ１１０と同様に、偏光を持つ映像を出力することが可能なディスプレイであれば、いずれのディスプレイでもよい。
また、前記ディスプレイ１１０、１２０から出力される映像１１０ａ、１２０ａは、それぞれ互いに同じ角度の初期偏光１１０ｂ、１２０ｂを持つ。
例えば、前記初期偏光１１０ｂ、１２０ｂは０度および０度、または９０度および９０度であってもよい。すなわち、前記ディスプレイ１１０、１２０は同じ種類のディスプレイからなる。
また、前記初期偏光１１０ｂ、１２０ｂは、水平線ｈを基準として一定の角度で振動する線偏光である。
一方、前記左眼映像１１０ａと前記右眼映像１２０ａは、互いに一定の視差（ｄｉｓｐａｒｉｔｙ）を有する映像として出力され、使用者が左眼では前記左眼映像１１０ａのみを見、右眼では前記右眼映像１２０ａのみを見たときに立体感を感じることのできる映像である。
前記ハーフミラー１３０は、前記ディスプレイ１１０、１２０同士の間に設けられ、前記映像のうちいずれか一つの映像１２０ａは透過させ、もう一つの映像１１０ａは反射して、前記ディスプレイ１１０、１２０から出力される映像１１０ａ、１２０ａを同一の面へ出力する。
また、前記ハーフミラー１３０は、ビームスプリッター（Ｂｅａｍ  Ｓｐｌｉｔｔｅｒ）ともいい、一面に入射する光は透過させ、他面に入射する光は反射する特性がある。
また、前記ビームスプリッターとしては、好ましくは入射する映像の偏光が０度または９０度の場合、透過する映像は全て透過させ、反射する映像は全て反射する偏光ビームスプリッター（ＰＢＳ：Ｐｏｌａｒｉｚｉｎｇ  Ｂｅａｍ  Ｓｐｌｉｔｔｅｒ）からなる。
したがって、光の透過および反射効率を高めることができるという利点がある。
一方、前記偏光ビームスプリッターは、厚さが厚いという欠点があるが、本発明の第１実施例では前記偏光ビームスプリッターとして線格子偏光子（ＷＧＰ：Ｗｉｒｅ  Ｇｒｉｄ  Ｐｏｌａｒｉｚｅｒ）を備え、前記ハーフミラー１３０が一般なビームスプリッターの厚さだけ薄い厚さを持つようにした。
また、前記ハーフミラー１３０は、前記ディスプレイ１１０、１２０が成す角度を二等分し、前記ディスプレイ１１０、１２０同士の間に設けられる。
したがって、本発明の実施例では、前記ハーフミラー１３０は前記ディスプレイ１１０、１２０に対してそれぞれ４５度を成すように設置される。ところが、前記ハーフミラー１３０の設置角度は前記ディスプレイ１１０、１２０の設置角度に応じて変化できる。
すなわち、前記ハーフミラー１３０は、使用者が前記映像１１０ａ、１２０ａを同一の面から観察することができるようにする。
前記偏光補正手段１４１０は、前記ディスプレイ１１０、１２０のうちいずれか一つのディスプレイ１２０の前面に貼られ、そのディスプレイから出力される映像の初期偏光１２０ｂを一定の角度で回転させて補正偏光１２０ｂ’を持つようにする。
本発明の実施例では、前記偏光補正手段１４０は、前記右眼映像ディスプレイ１２０の前面に貼られ、前記第２初期偏光１２０ｂを一定の角度で回転させて前記右眼映像１２０ａが一定の角度の補正偏光１２０ｂ’を持つようにする。
ところが、前記偏光補正手段１４０は、前記左眼映像ディスプレイ１１０の前面に貼られ、前記第１初期偏光１１０ｂを一定の角度で回転させることもできる。
また、前記偏光補正手段１４０は、前記ハーフミラー１３０によって出力される映像１１０ａ、１２０ａの偏光１１０ｂ、１２０ｂ’が互いに９０度を成すように前記第２初期偏光１２０ｂを前記補正偏光１２０ｂ’に補正する。
すなわち、前記偏光補正手段１４０は、前記ハーフミラー１３０によって出力される映像１１０ａ、１２０ａの偏光１１０ｂ、１２０ｂ’が互いに９０度を成すように出力することができれば、前記ディスプレイ１１０、１２０のうちいずれのディスプレイにも貼ることが可能である。
また、前記偏光補正手段１４０は位相差フィルムであり、さらに詳しくは、前記位相差フィルムはλ／２フィルムである。
また、前記λ／２フィルムの光軸１４０ａを＋４５度または−４５度回転させて前記右眼映像ディスプレイ１２０の前面に貼ることにより、前記第２初期偏光１２０ｂを＋９０度または−９０度だけ回転させる。
すなわち、前記初期偏光１１０ｂ、１２０ｂの角度が０度および０度、または９０度および９０度の場合、前記偏光補正手段１４０によって、前記ハーフミラー１３０から最終的に出力される偏光１１０ｂ、１２０ｂはそれぞれ０度および９０度、または９０度および０度で出力される。
したがって、従来の立体映像ディスプレイ装置１０と比較して、パネル１２１と偏光フィルム１２２を分離せずに立体映像ディスプレイ装置を製作することができるので、立体映像ディスプレイ装置の色感および視野角の低下を防止することができる。
［第２実施例］
図４は本発明の第２実施例に係る立体映像ディスプレイ装置を示す図である。
以下では、本発明の第１実施例に係る立体映像ディスプレイ装置と実質的に同一の構成要素については説明を省略し、同一の符号を参照する。
図４を参照すると、本発明の第２実施例に係る立体映像ディスプレイ装置２００は、左眼映像ディスプレイ１１０、右眼映像ディスプレイ１２０、ハーフミラー１３０、第１偏光補正手段１４０および第２偏光補正手段２１０を含んでなる。
すなわち、本発明の第１実施例に係る立体映像ディスプレイ装置１００と比較して、前記偏光補正手段１４０は第１および第２の２つの偏光補正手段１４０、２１０からなる。
また、前記第１偏光補正手段１４０は、前記右眼映像１２０ａの第２初期偏光１２０ｂを一定の角度回転させて前記右眼映像１２０ｂが一定の角度の第２補正偏光１２０ｂ’を持つようにし、本発明の第１実施例に係る立体映像ディスプレイ装置２００の偏光補正手段１４０と実質的に同一である。
前記第２偏光補正手段２１０は、前記左眼映像ディスプレイ１１０の前面に貼られ、前記左眼映像ディスプレイ１１０から出力される左眼映像１１０ａの第１初期偏光１１０ｂを一定の角度で回転させて前記左眼映像１１０ａが一定の角度の第１補正偏光１２０’を持つようにする。
また、前記第２偏光補正手段２１０は、前記ハーフミラー１３０によって出力される映像１１０ａ、１２０ａの偏光１１０ｂ、１２０ｂ’が互いに９０度を成すように前記第１初期偏光１１０ｂを前記第１補正偏光１１０ｂ’に回転させる。
言い換えれば、前記第２偏光補正手段２１０は、前記ハーフミラー１３０によって反射する前記第１補正偏光１１０ｂ”と、前記ハーフミラー１３０によって透過する第２補正偏光１２０’とが互いに９０度を成して出力されるように、前記第１初期偏光１１０ｂを前記第１補正偏光１１０ｂ’に回転させる。
また、前記第２偏光補正手段２１０は位相差フィルムであり、さらに詳しくは前記位相差フィルムはλ／２フィルムからなる。
また、前記λ／２フィルムの光軸２１０ａを＋２２．５度または−２２．５度回転させて前記左眼映像ディスプレイ１１０の前面に貼られ、前記第１初期偏光１１０ｂの角度を＋４５度または−４５度だけ回転させる。
また、前記第１偏光補正手段１４０は、光軸１４０ａを＋２２．５度または−２２．５度回転させて前記右眼映像ディスプレイ１２０の前面に貼られ、前記第２初期偏光１２０ｂの角度を＋４５度または−４５度だけ回転させる。
すなわち、前記偏光補正手段１４０、２１０は、前記初期偏光１１０ｂ、１２０ｂを同一の方向に４５度または−４５度だけ回転させ、前記左眼映像１１０ａおよび右眼映像１２０ａが、４５度または１３５度の同じ角度を有する補正偏光１２０ｂ’、１１０ｂ’を持つようにする。
よって、前記左眼映像１１０ａの第１補正偏光１１０ｂ’は、前記ハーフミラー１３０から反射し、前記第１補正偏光１１０ｂ’の角度が４５度の場合には１３５度に反転し、前記第１補正偏光１１０ｂ’の角度が１３５度の場合には４５度に反転するので、最終的に前記ハーフミラー１３０によって出力される第１補正偏光１１０ｂ”および第２補正偏光１２０’はそれぞれ４５度および１３５度、または１３５度および４５度であって互いに９０度を成して出力される。
一方、本発明の第２実施例では、前記ハーフミラー１３０は一般なビームスプリッターを使用した。
その理由は、本発明の第１実施例で適用した偏光ビームスプリッターの場合、入射または反射する映像の偏光が０度または９０度の場合にのみ適用することができるためである。
［第３実施例］
図５は本発明の第３実施例に係る立体映像ディスプレイ装置を示す図である。
以下では、本発明の第２実施例に係る立体映像ディスプレイ装置と実質的に同一の構成要素については説明を省略し、同一の符号を参照する。
図５を参照すると、本発明の第３実施例に係る立体映像ディスプレイ装置３００は、本発明の第２実施例に係る立体映像ディスプレイ装置３００と比較して、前記ディスプレイ１１０、１２０として、それぞれ４５度の初期偏光１１０ｂ、１２０ｂを持つ映像１１０ａ、１２０ａを出力するディスプレイ１１０’、１２０’を備える。
すなわち、前記偏光補正手段１４０、２１０は、前記４５度の初期偏光１１０ｂ、１２０ｂをそれぞれ＋４５度および−４５度、または−４５度および＋４５度回転させ、それぞれ９０度および０度、または０度および９０度の補正偏光１１０ｂ’、１２０ｂ’を持つ映像に補正することにより、前記ハーフミラー１３０から最終的に出力される映像の偏光がそれぞれ９０度および０度、または０度および９０度であって互いに９０度を成して出力されるようにする。
また、前記ハーフミラー１３０としては、本発明の第１実施例と同様に偏光ビームスプリッター（ＰＢＳ：Ｐｏｌａｒｉｚｉｎｇ  Ｂｅａｍ  Ｓｐｌｉｔｔｅｒ）を備える。
したがって、光の透過および反射効率を高めることができるという利点がある。
一方、前記偏光ビームスプリッターは、厚さが厚いという欠点があるが、本発明の第１実施例では前記偏光ビームスプリッターとして線格子偏光子（ＷＧＰ：Ｗｉｒｅ  Ｇｒｉｄ  Ｐｏｌａｒｉｚｅｒ）を備えて、前記ハーフミラー１３０が一般なビームスプリッターの厚さだけ薄い厚さを持つようにした。
［第４実施例］
図６は本発明の第４実施例に係る立体映像ディスプレイ装置を示す図である。
以下では、本発明の第２実施例に係る立体映像ディスプレイ装置と実質的に同一の構成要素については説明を省略し、同一の符号を参照する。
図６を参照すると、本発明の第４実施例に係る立体映像ディスプレイ装置４００は、本発明の第２実施例に係る立体映像ディスプレイ装置２００と比較して、前記偏光補正手段２１０、１４０として、前記左眼映像１１０ａおよび右眼映像１１０ｂの初期偏光１１０ｂ、１２０ｂを同一の方向に回転させ、それぞれ回転する円偏光たる補正円偏光１１０ｂｂ、１２０ｂｂに補正する円偏光補正手段２１０’、１４０’を備える。
また、前記初期偏光１１０ｂ、１２０ｂの角度はそれぞれ０度および０度、９０度および９０度、または４５度および４５度である。
ところが、前記初期偏光１１０ｂ、１２０ｂの角度は互いに同一の角度であれば十分である。
また、前記円偏光補正手段２１０’、１４０’は、前記左眼映像ディスプレイ１１０の前面に貼られる第１円偏光補正手段２１０’、および前記右眼映像ディスプレイ１２０の前面に貼られる第２円偏光補正手段１４０’からなる。
また、前記円偏光補正手段２１０’、１４０’としてはそれぞれ第１位相差フィルムおよび第２位相差フィルムを備え、さらに詳しくは、前記位相差フィルムはそれぞれ第１λ／４フィルムおよび第２λ／４フィルムである。
また、前記λ／４フィルム２１０’、１４０’は、光軸２１０’、１４０ａ’がそれぞれ前記初期偏光１１０ｂ、１２０ｂの角度と一致するように貼る。
すなわち、前記円偏光補正手段２１０’、１４０’は、前記初期偏光１１０ｂ、１２０ｂを同一の方向に回転する補正円偏光１１０ｂｂ、１２０ｂｂに補正する。
例えば、前記映像１１０ａ、１２０ａの初期偏光１１０ｂ、１２０ｂが、前記円偏光補正手段２１０’、１４０’によって、それぞれ反時計方向に回転する補正円偏光１１０ｂｂ、１２０ｂｂに補正された場合、前記右眼映像１２０ａの補正円偏光１２０ｂｂは前記ハーフミラー１３０を透過してそのまま反時計方向に回転し、前記左眼映像１１０ａの補正円偏光１１０ｂｂは前記ハーフミラー１３０によって反射して時計方向に反転し、最終的に前記立体映像ディスプレイ装置４００は偏光が互いに反対方向に回転する映像１１０ａ、１２０ａを出力する。
よって、観察者は、それぞれ互いに異なる方向に回転する円偏光フィルターを備えた偏光眼鏡を着用し、左眼では前記左眼映像１１０ａのみを見、右眼では前記右眼映像１１０ｂのみを見ることにより、立体映像を観察することができる。
［第５実施例］
図９は本発明の第５実施例に係る立体映像ディスプレイシステムを示す図である。
図９を参照すると、本発明の第５実施例に係る立体映像ディスプレイシステム５００は、立体映像ディスプレイ装置５１０、立体偏光補正手段５３０、偏光眼鏡１４、および平面映像ディスプレイ装置５２０を含んでなる。
前記立体映像ディスプレイ装置５１０は、それぞれ一定の角度の初期偏光５１１、５１２を持つ左眼映像および右眼映像を前面に同時に出力するが、前記初期偏光５１１、５１２が互いに９０度を成すように前記映像を出力する。
また、本発明の実施例では、前記立体映像ディスプレイ装置５１０から出力される初期偏光５１１、５１２の角度がそれぞれ４５度および１３５度である。
ところが、前記初期偏光５１１、５１２の角度は互いに９０度をなせば十分である。
前記立体偏光補正手段５３０は、前記各映像の初期偏光５１１、５１２を任意の角度で同一の方向に回転させ、前記各映像が一定の角度の補正偏光５１１ａ、５１２ａを持つようにする。
また、本発明の実施例では、前記立体偏光補正手段５３０は、前記初期偏光５１１、５１２を４５度、１３５度、２２５度または３１５度回転させて前記初期偏光５１１、５１２としてそれぞれ０度および９０度、または９０度および０度の補正偏光５１１ａ、５１２ａが生成されるようにした。
また、前記立体偏光補正手段５３０としては、前記立体映像ディスプレイ装置５１０の前面に貼られる位相差フィルムを備え、さらに詳しくは、前記位相差フィルムはλ／２フィルムである。
また、前記λ／２フィルムは、前記初期偏光５１１、５１２を４５度、１３５度、２２５度または３１５度の角度で回転させるために前記λ／２フィルムの光軸５３１を２２．５度、６７．５度、１１２．５度または１５７．５度回転させて前記立体映像ディスプレイ装置の前面に貼る。
前記偏光眼鏡１４は、前記映像の補正偏光５１１ａ、５１２ａとそれぞれ同一の偏光角を持つ左眼偏光フィルター１４ａと右眼偏光フィルター１４ｂを含み、前記左眼偏光フィルター１４ａには前記左眼映像のみを透過させ、前記右眼偏光フィルター１４ｂには前記右眼映像のみを透過させる。
すなわち、前記偏光眼鏡１４は、観察者が左眼では前記左眼映像のみを観察するようにし、右眼では前記右眼映像のみを観察するようにすることにより、利他イ影像を観察することができるようにする。
前記平面影像ディスプレイ装置５２０は、前記立体影像ディスプレイ装置５１０の初期偏光５１１、５１２のうちいずれか一つの初期偏光５１２と同じ角度の偏光５２１を持つ平面影像を出力する。すなわち、前記平面影像ディスプレイ装置５２０は、４５度または１３５度の偏光５２１を持つ平面影像を出力する。
したがって、前記平面影像の偏光５２１は、前記補正偏光５１１ａ、５１２ａとそれぞれ４５度の角度差を有する一方、前記偏光眼鏡１４を構成する偏光フィルター１４ａ、１４ｂの偏光角ともそれぞれ４５度の角度差を有する。
よって、前記平面影像は、前記左眼偏光フィルター１４ａおよび前記右眼偏光フィルター１４ｂに同時に透過する。
一方、前記偏光フィルター１４ａ、１４ｂは、入射する影像の偏光の角度が前記偏光フィルター１４ａ、１４ｂの偏光角と互いに直交しなければ、影像を透過させる性質を有する。
さらに詳しくは、前記偏光フィルター１４ａ、１４ｂは、その偏光角が入射する影像の偏光の角度と直交する場合には前記入射する影像が全く透過せず、その偏光角が前記入射する影像の偏光の角度と一致する場合には影像が完全に透過し、その偏光角が前記入射する影像の偏光の角度に対して４５度を成す場合には半分の明るさで影像が透過する。
すなわち、使用者は、前記偏光眼鏡１４を着用しても、前記立体影像ディスプレイ装置５１０から出力される立体影像を観察することができる一方で、前記平面影像ディスプレイ装置５２０から出力される平面影像を両眼で同時に全て観察することができる。
［第６実施例］
図１０は本発明の第６実施例に係る立体影像ディスプレイシステムを示す図である。
以下では、本発明の第５実施例に係る立体影像ディスプレイシステムと実質的に同一の構成要素についての説明は省略し、同一の符号を参照する。
図１０を参照すると、本発明の第６実施例に係る立体影像ディスプレイシステム６００は、立体影像ディスプレイ装置５１０、立体偏光補正手段５３０、偏光眼鏡１４ａおよび平面影像ディスプレイ装置５２０を含んでなる。
また、本発明の第６実施例に係る立体影像ディスプレイシステム６００と比較して、前記立体影像ディスプレイ装置５１０から出力される左眼影像および右眼影像の初期偏光５１１ａ、５１２ａが０度および９０度の影像として出力され、前記平面影像ディスプレイ装置５２０から出力される平面影像は０度の偏光５２１ａをもって出力される。
ところが、前記平面影像の偏光５２１ａは、９０度を成すことができ、前記左眼影像および右眼影像の初期偏光５１１ａ、５１２ａのうちいずれか一つの初期偏光の角度と同一の角度であれば十分である。
また、前記偏光眼鏡１４ａを構成する偏光フィルター１４ａａ、１４ｂｂの偏光角はそれぞれ０度および９０度である。
よって、使用者は、前記偏光眼鏡１４ａを着用しても、前記左眼影像および右眼影像をそれぞれ左眼および右眼で観察するとともに、前記平面影像を両眼で同時に観察することができる。
［第７実施例］
図１１は本発明の第７実施例に係る立体影像ディスプレイシステムを示す図である。
以下では、本発明の第５実施例および第６実施例に係る立体影像ディスプレイシステム５００、６００と実質的に同一の構成要素については説明を省略し、同一の符号を参照する。
図１１を参照すると、本発明の第７実施例に係る立体影像ディスプレイシステム７００は、立体影像ディスプレイ装置５１０、平面偏光補正手段７１０、偏光眼鏡１４ａおよび平面影像ディスプレイ装置５２０を含んでなる。
また、本発明の第７実施例に係る立体影像ディスプレイシステム７００は、本発明の第５実施例および第６実施例に係る立体影像ディスプレイシステム５００、６００と比較して、前記立体影像ディスプレイ装置５１０の偏光５１１、５１２を補正する立体偏光補正手段５３０の代わりに、前記平面影像ディスプレイ装置５２０の初期偏光５２１を補正する平面偏光補正手段７１０を含んでなる。
また、前記平面偏光補正手段７１０は、前記平面影像ディスプレイ装置５２０から出力される平面影像の初期偏光５２１を４５度、１３５度、２２５度または３１５度回転させ、前記平面影像が前記立体影像ディスプレイ装置５１０から出力される左眼影像および右眼影像の偏光５１１、５１２とそれぞれ４５度の角度差を有する補正偏光７１１を持つようにする。
また、前記偏光眼鏡１４ａは、前記立体影像ディスプレイ装置５１０から出力される影像の偏光５１１、５１２とそれぞれ同一の偏光角を持つ偏光フィルター１４ａａ、１４ｂｂを備える。
すなわち、本発明の第７実施例に係る立体影像ディスプレイシステム７００は、本発明の第５実施例および第６実施例に係る立体影像ディスプレイシステム５００、６００と比較して、前記立体偏光補正手段５３０が前記平面影像ディスプレイ装置５２０の前面に貼られて前記平面影像の初期偏光５２１を補正する形態に製作される。
［第８実施例］
図１２は本発明の第８実施例に係る立体影像ディスプレイシステムを示す図である。
以下では、本発明の第７実施例に係る立体影像ディスプレイシステム７００と実質的に同一の構成要素についての説明は省略し、同一の符号を参照する。
図１２を参照すると、本発明の第８実施例に係る立体影像ディスプレイシステム８００は、立体影像ディスプレイ装置５１０、ランダム偏光補正手段８１０、偏光眼鏡１４ａおよび平面影像ディスプレイ装置５２０を含んでなる。
すなわち、本発明の第８実施例に係る立体影像ディスプレイシステム８００は、本発明の第７実施例に係る立体影像ディスプレイシステム７００と比較して、平面偏光補正手段７１０の代わりにランダム偏光補正手段８１０を備える。
前記ランダム偏光補正手段８１０は、前記平面影像ディスプレイ装置５２０から出力される平面影像の初期偏光５２１を拡散させ、前記平面影像の初期偏光５２１を一つの偏光ではなく多数のランダムな偏光を持つランダム偏光８１１に補正する。
言い換えれば、前記ランダム偏光補正手段８１０は、一定の角度を有する線偏光を回転させて、他の角度を有する線偏光に補正するのではなく、一定の角度を有する線偏光を拡散させて、ランダムな角度を有する線偏光８１１に補正する。
また、前記ランダム偏光補正手段８１０としては、拡散フィルムまたはすりガラスを含むランダム化フィルムを備える。
したがって、前記偏光眼鏡１４ａの偏光フィルター１４ａａ、１４ｂｂの偏光角を問わず、前記平面影像は前記偏光眼鏡１４ａの偏光フィルター１４ａａ、１４ｂｂを全て通過することができる。
以上、本発明は、好適な実施例を挙げて図示し説明したが、前述した実施例に限定されず、本発明の精神から外れない範囲内で、当該発明の属する技術分野における通常の知識を有する者によって多様な変更と修正が可能であろう。
【産業上の利用可能性】
【０００９】
本発明の実施例に係る立体影像ディスプレイ装置およびそのシステムは、偏光眼鏡を着用する全ての偏光方式の立体影像ディスプレイ装置、偏光方式の立体影像ディスプレイおよび平面影像ディスプレイを同時に備える環境でも利用が可能である。
【符号の説明】
【００１０】
１００、２００、３００、４００、５１０：立体映像ディスプレイ装置
１１０：左眼映像ディスプレイ
１２０：右眼映像ディスプレイ
１３０：ハーフミラー
１４０：偏光補正手段
２１０：第２偏光補正手段
５００、６００、７００、８００：立体映像ディスプレイシステム
５２０：平面映像ディスプレイ装置
５３０：立体偏光補正手段
７１０：平面偏光補正手段
８１０：ランダム偏光補正手段
【図１】
2012501483.tif 000003
【図２】
2012501483.tif 000004
【図３】
2012501483.tif 000005
【図４】
2012501483.tif 000006
【図５】
2012501483.tif 000007
【図６】
2012501483.tif 000008
【図７】
2012501483.tif 000009
【図８】
2012501483.tif 000010
【図９】
2012501483.tif 000011
【図１０】
2012501483.tif 000012
【図１１】
2012501483.tif 000013
【図１２】
2012501483.tif 000014
【国際調査報告】
2012501483.tif 000015
2012501483.tif 000016
2012501483.tif 000017
2012501483.tif 000018